(57)【特許請求の範囲】
【請求項１】
桐部材を複数枚積層してなる木製防火扉用芯材において、所定の大きさに形成されると共に木目の方向が長手方向に略一致する第１の桐部材及び第２の桐部材の間に、これら第１及び第２の桐部材の長手方向に略二分割した大きさで且つその木目の方向が前記長手方向とは略直交する方向に一致する第３及び第４の桐部材を配置し、前記第３及び第４の桐部材が継がれることなく前記第１及び第２の桐部材に挟持されるように前記第１及び第２の桐部材と前記第３及び第４の桐部材とを相互に接合し、接合した前記第１及び第２の桐部材の少なくとも一方にその幅方向に亘って且つその表面から前記第３又は第４の桐部材との接合面近傍又は当該第３又は第４の桐部材に到達するまでの深さに少なくとも二本の溝を形成し且つ当該溝内に補強部材を接合したことを特徴とする木製防火扉用芯材。
【請求項２】
請求項１において、前記第１〜第４の桐部材が集成材であり、前記木目の方向は繊維方向であることを特徴とする木製防火扉用芯材。
【請求項３】
請求項１又は２において、前記補強部材は、平行合板であることを特徴とする木製防火扉用芯材。
【請求項４】
請求項１〜３の何れかにおいて、前記補強部材は、平行合板であることを特徴とする木製防火扉用芯材。
【請求項５】
請求項１〜４の何れかにおいて、前記補強部材は、前記第１及び第２の桐部材の何れか一方に設けられていることを特徴とする木製防火扉用芯材。
【請求項６】
請求項１〜４の何れかにおいて、前記補強部材は、前記第１及び第２の桐部材の両方に設けられていることを特徴とする木製防火扉用芯材。
【請求項７】
請求項１〜４の何れかにおいて、前記補強部材は、前記第１及び第２の桐部材の両方に設けられ且つその位置が相対向した位置ではなく互い違いであることを特徴とする木製防火扉用芯材。
【請求項８】
請求項１〜７の何れかの芯材を用いたことを特徴とする木製防火扉。
【請求項９】
請求項８において、前記扉の端面近傍にはグラファイト系発泡材がその長手方向に亘って設けられていることを特徴とする木製防火扉。
【請求項１０】
請求項９において、前記発泡材は前記扉の三方の端面近傍に設けられていることを特徴とする木製防火扉。
【請求項１１】
桐部材を複数枚積層してなる木製防火扉用芯材の製造方法において、所定の大きさに形成されると共に木目の方向が長手方向に略一致する第１の桐部材及び第２の桐部材の間に、これら第１及び第２の桐部材の長手方向に略二分割した大きさで且つその木目の方向が前記長手方向とは略直交する方向に一致する第３及び第４の桐部材を配置し、これら前記第３及び第４の桐部材が継がれることなく前記第１及び第２の桐部材に挟持されるように前記第１及び第２の桐部材と前記第３及び第４の桐部材とを相互に接合する工程と、接合した前記第１及び第２の桐部材の少なくとも一方にその幅方向に亘る溝を少なくとも二本、その表面から前記第３又は第４の桐部材との接合面近傍又は当該第３又は第４の桐部材に到達するまでの深さで形成する工程と、これら溝内に補強部材を保持接合する工程とを具備することを特徴とする木製防火扉用芯材の製造方法。
【発明の詳細な説明】
【０００１】
【発明の属する技術分野】
本発明は、木製の防火扉に用いて好適な防火扉用芯材及びその製造方法並びにそれを用いた防火扉に関する。
【０００２】
【従来の技術】
従来、防火扉は鋼鉄製のもので、頑丈であるが、重く、高熱で溶けてしまうなどの問題があった。
【０００３】
そこで、非燃焼性の桐材を用いた木製防火扉が開発されている。
【０００４】
【発明が解決しようとする課題】
桐材は他の木材と比較して反りにくいことは桐ダンスに代表される用途では周知である。しかしながら、扉として用いた場合には、産地での乾燥度、及び使用する場所の温度・湿度により複雑な反りが生じるという問題がある。
【０００５】
例えば、反りを極力抑えるためには、一般的には桐の集成材を用いて複数枚積層して用いるのが良いとされている。すなわち、図５に示すように、木目（繊維方向）が長手方向に一致した桐集成材１を三枚用い、これを積層して接合したものが芯材として使用されるが、どうしても反りが押さえられないという問題がある。
【０００６】
そこで、本発明は、このような事情に鑑み、防火扉として用いて好適な防火扉用芯材及びその製造方法並びにそれを用いた木製防火扉を提供することを課題とする。
【０００７】
【課題を解決するための手段】
前記課題を解決する本発明の第１の態様は、桐部材を複数枚積層してなる木製防火扉用芯材において、所定の大きさに形成されると共に木目の方向が長手方向に略一致する第１の桐部材及び第２の桐部材の間に、これら第１及び第２の桐部材の長手方向に略二分割した大きさで且つその木目の方向が前記長手方向とは略直交する方向に一致する第３及び第４の桐部材を配置し、前記第３及び第４の桐部材が継がれることなく前記第１及び第２の桐部材に挟持されるように前記第１及び第２の桐部材と前記第３及び第４の桐部材とを相互に接合し、接合した前記第１及び第２の桐部材の少なくとも一方にその幅方向に亘って且つその表面から前記第３又は第４の桐部材との接合面近傍又は当該第３又は第４の桐部材に到達するまでの深さに少なくとも二本の溝を形成し且つ当該溝内に補強部材を接合したことを特徴とする木製防火扉用芯材にある。
【０００８】
本発明の第２の態様は、第１の態様において、前記第１〜第４の桐部材が集成材であり、前記木目の方向は繊維方向であることを特徴とする木製防火扉用芯材にある。
【０００９】
本発明の第３の態様は、第１又は２の態様において、前記補強部材は、平行合板であることを特徴とする木製防火扉用芯材にある。
【００１０】
本発明の第４の態様は、第１〜３の何れかの態様において、前記補強部材は、平行合板であることを特徴とする木製防火扉用芯材にある。
【００１１】
本発明の第５の態様は、第１〜４の何れかの態様において、前記補強部材は、前記第１及び第２の桐部材の何れか一方に設けられていることを特徴とする木製防火扉用芯材にある。
【００１２】
本発明の第６の態様は、第１〜４の何れかの態様において、前記補強部材は、前記第１及び第２の桐部材の両方に設けられていることを特徴とする木製防火扉用芯材にある。
【００１３】
本発明の第７の態様は、第１〜４の何れかの態様において、前記補強部材は、前記第１及び第２の桐部材の両方に設けられ且つその位置が相対向した位置ではなく互い違いであることを特徴とする木製防火扉用芯材にある。
【００１４】
本発明の第８の態様は、第１〜７の何れかの態様の芯材を用いたことを特徴とする木製防火扉にある。
【００１５】
本発明の第９の態様は、第８の態様において、前記扉の端面近傍にはグラファイト系発泡材がその長手方向に亘って設けられていることを特徴とする木製防火扉にある。
【００１６】
本発明の第１０の態様は、第９の態様において、前記発泡材は前記扉の三方の端面近傍に設けられていることを特徴とする木製防火扉にある。
【００１７】
本発明の第１１の態様は、桐部材を複数枚積層してなる木製防火扉用芯材の製造方法において、所定の大きさに形成されると共に木目の方向が長手方向に略一致する第１の桐部材及び第２の桐部材の間に、これら第１及び第２の桐部材の長手方向に略二分割した大きさで且つその木目の方向が前記長手方向とは略直交する方向に一致する第３及び第４の桐部材を配置し、これら前記第３及び第４の桐部材が継がれることなく前記第１及び第２の桐部材に挟持されるように前記第１及び第２の桐部材と前記第３及び第４の桐部材とを相互に接合する工程と、接合した前記第１及び第２の桐部材の少なくとも一方にその幅方向に亘る溝を少なくとも二本、その表面から前記第３又は第４の桐部材との接合面近傍又は当該第３又は第４の桐部材に到達するまでの深さで形成する工程と、これら溝内に補強部材を保持接合する工程とを具備することを特徴とする木製防火扉用芯材の製造方法にある。
【００１８】
【発明の実施の形態】
以下本発明を一実施形態に基づいて説明する。
【００１９】
図１は、一実施形態に係る防火扉用芯材の外観を示す斜視図、図２はその製造過程を示す図である。これらの図に示すように、この芯材１０は、桐集成材の積層構造を有し、木目（繊維方向）が長手方向に一致した第１の集成材１１及び第２の集成材１２と、第１及び第２の集成材１１，１２の長手方向に略半分に分割した大きさを有し且つ木目が略直交する方向である第３及び第４の集成材１３，１４との積層構造であり、第３及び第４の集成材１３，１４を第１及び第２の集積材１１，１２で挟持した状態で接合したものである。さらに、本実施形態では、接合後、第１の集成材１１に幅方向に亘る溝１５を二本形成し、この溝１５内に補強部材１６を埋め込み接合したものである。これらの溝１５は、第３及び第４の集成材１３，１４に到達するまでの深さで形成されている。
【００２０】
ここで、集成材１１〜１４は、それぞれ所定の大きさに形成されたものでもよいが、短い寸法のものを複数枚継ぎ合わせたものであってもよい。勿論、集成材ではなく、桐材をそのまま使用することもできる。
【００２１】
なお、第３及び第４の集成材１３，１４の合わせ目は継ぎ合わせる必要はなく端面同士を単に当接させて接合する必要がある。これは、継ぎ合わせでは強度が高すぎて反り防止の効果が発現しないからである。
【００２２】
また、補強部材１６としては、平行合板（Ｌ．Ｖ．Ｌ）を用いた。この補強部材１６の寸法は、芯材１０の厚さを３４ｍｍに対して、１２ｍｍの厚さで、幅４０ｍｍとした。なお、補強部材１６は、平行合板に限定されず、反りを防止する強度を有するものであれば何れの材質を用いてもよい。
【００２３】
このように、三枚の積層構造を採用すると共に木目を略直交するようにクロスさせ且つ間の集成材を二枚に分割することにより、反りを抑える構造が実現できる。さらに、接合後、補強部材を幅方向に埋め込むことにより反りをほぼ完全に解消することができる。
【００２４】
ここで、補強部材１６を配置する寸法及び数等は特に限定されない。例えば、図３（ａ）に示す芯材１０Ａのように、補強部材１６を第１の及び第２の集成材１１，１２のそれぞれの表面に１本ずつ設けてもよい。この場合、配置する位置は表裏面で互い違いになるようにするのが好ましい。また、図３（ｂ）に示す芯材１０Ｂのように、補強部材１６を第１の及び第２の集成材１１，１２のそれぞれの表面に２本ずつ設けてもよい。この場合も、配置する位置は表裏面で互い違いにするのが好ましいが、相対向する位置に設けてもよい。
【００２５】
また、かかる補強部材１６は、予め設けておくことはできず、各集成材を積層した後、加工して形成した溝に埋め込むことにより、反りを効果的に防止するという効果を発揮するものである。
【００２６】
以上説明した防火扉用芯材は木製防火扉に用いることができるが、次に、木製防火扉の一例を説明する。
【００２７】
図４は、木製防火扉２０の縦断面図である。図４に示すように、芯材１０の四方又は長手辺側の一カ所を除く三方の端面に補強材２１を接合し、補強材２１の端面側に発泡材２２を当該端面の長手方向に亘って設ける。さらに、その端面を化粧合板２３で覆い、且つ芯材１２の表裏面側には補強材２１まで覆うように化粧合板２４を接合することにより木製防火扉２０とする。
【００２８】
このように構成した木製防火扉２０は、軽量で且つ強度も十分であり、勿論、十分な防火効果を有するものである。
【００２９】
かかる木製防火扉の構造は特に限定されないが、扉の各端面、すなわち、扉を取り付ける間口の内壁との相対向する部分に発泡材２２を設けるのが好ましい。この発泡材２２としては、例えば、２３０℃程度で厚さ方向に１０倍程度に膨張するグラファイト系発泡材を用いればよく、これにより間口との隙間を完全に塞ぐことができ、煙の流れを防止すると共に延焼を防止することができる。この発泡材２２は、防火扉の少なくとも三方の端面又は四方に設けるのが好ましい。
【００３０】
【発明の効果】
以上説明したように、本発明によれば、軽量で且つ高強度で反りが発生せず、しかも防火作用に優れた防火扉を実現することができる。
【図面の簡単な説明】
【図１】本発明の一実施形態に係る防火扉用芯材の斜視図である。
【図２】本発明の一実施形態に係る防火扉用芯材の製造工程を説明する図である。
【図３】本発明の他の実施形態に係る防火扉用芯材の斜視図である。
【図４】本発明の一実施形態に係る木製防火扉を示す断面図である。
【図５】従来技術に係る防火扉用芯材の分解斜視図である。
【符号の説明】
１０，１０Ａ，１０Ｂ  防火扉用芯材
１１  第１の集成材
１２  第２の集成材
１３  第３の集成材
１４  第４の集成材
１５  溝
１６  補強部材
【図１】
0004293575.tif 000002
【図２】
0004293575.tif 000003
【図３】
0004293575.tif 000004
【図４】
0004293575.tif 000005
【図５】
0004293575.tif 000006